(57)【要約】【課題】花粉や埃などの対策ために使用するマスクにおいて、眼鏡を掛けると眼鏡が曇って見えない。また、暖かい日などは、吐き出す息でマスク内が蒸し状態になって気持ちが悪いなどの問題を生じる。【解決手段】眼鏡を曇らす方向を避けて、息をマスクの外に放出する構造を持ったマウスピースをマスクに取り付ける。あるいは、このマウスピースのような機能を持った構造を予め設けたマスクを使用する。これにより、息の吐き出しを直接マスクの外とするため、そして、眼鏡方向を外して行うため、マスク内の蒸し状態や眼鏡曇りを軽減することができる。【選択図】図１
2015198676.tif 000002
【特許請求の範囲】
【請求項１】
花粉や埃などの対策に使用するマスクにおいて、マスクを通して鼻から吸った息を口から吐き出すときに、眼鏡側を除く方向に排気口を設け、そこからマスク外へ放出することを可能にしたマウスピースおよびこのマウスピースの機能を具備したマスク
【発明の詳細な説明】
【技術分野】
【０００１】
本発明は、花粉やPM2.5などを含む埃の吸引防止あるいは風邪などの感染防止の目的で使用されるマスクに関するものであり、特に、眼鏡の曇り止めとマスク内の蒸れ防止を目的としたマウスピースおよびその機能を具備したマスクに関するものである。
【背景技術】
【０００２】
眼鏡の曇り止め機能を有するマスクとして、下記1、2に示す特許文献など、そして、マスク内の蒸れ防止には、下記3、4に示す特許文献など多数の特許文献が提案されている。しかし、実際には曇り止め効果が期待できないものがほとんであり、仮に効果があったものでも、同時に蒸れないという効果は、いずれも得ることができないものであった。
【先行技術文献】
【特許文献】
【０００３】
【特許文献１】特許出願公開番号  特開2014-23888
【特許文献２】特許出願公開番号  特開2008-279101
【特許文献３】特許出願公開番号  特開2006-325688
【特許文献４】特許出願公開番号  特開2007-000276
【発明の概要】
【発明が解決しようとする課題】
【０００４】
耳に伸縮性のひもで固定し、鼻と口を覆う一般的なマスクには、外気をマスクの細かな網目を通して吸い込み、外部から花粉やPM2.5などの埃を体内に取り込まないようにするという機能がある。この機能が優秀であればあるほど、息の吐き出しのときに、顔を凹凸の激しい、つまり鼻と頬の付け根の隙間から息が漏れてしまう。そして、眼鏡をされている方は、この漏れた息で眼鏡を曇らせ、前が見えない状況にさえなってしまう。また、眼鏡をされていない方でも、気温の高い日などに、マスクの中が吐き出した息で湿り、不快な思いをする。
【課題を解決するための手段】
【０００５】
人間は、鼻から外気を吸って口から吐き出すという特異な呼吸を行うことができる。息を吐き出すときに、排気口をつけたマウスピースを介して行い、排気口を眼鏡以外の方向を向けて、マスクの外あるいは外に近い部分まで伸ばすことにより、マスク内に息の吐き出しを行わないようにする。市販のマスクの中にこのマウスピースを取り付けた状態として使用しても良いし、この排気口を設けたマウスピースの機能を具備するマスクを使用しても良い。
【発明の効果】
【０００６】
眼鏡を掛けた方でも、この排気口を設けたマウスピースを使用し、鼻から息を吸って口から息を吐く呼吸方法を行えば、市販のマスクを着用しても、眼鏡を曇らせることはない。また、市販のマスクによりマスク内が蒸れてしまうような場合にも、この排気口を設けたマウスピースを使用すれば、息が直接マスクの外に吐き出されるので、吐く息で蒸れることがない。
【図面の簡単な説明】
【０００７】
【図１】本発明の基本的な外観図
【図２】本発明の正面および側面図
【図３】吐き出し口を下向き、斜め向きとした例
【図４】マウスピースをガーゼで包んだ例
【図５】突起部を低く抑えたマウスピース
【図６】マウスピース機能を具備したマスク
【発明を実施するための形態】
【０００８】
以下、本発明を実施するための形態について説明する。
図1は、マウスピースおよびそれをマスクに取り付けた状態を示している。
マウスピース（1）には息を吐き出しやすいように、唇に挟むピース（2）および排気口（3）を設けている。これをマスク（4）内にセットする。
図2は、その正面図と側面図である。
図3は、マウスピースの吐き出し口を下および斜め方向とした例である。例えば、電車など混雑した中で横に息を吐き出した場合、隣り合わせた人に不快な思いをさせる可能性がある。このようなことが想定される場合は、吐き出し方向を下あるいは斜め方向に向けるようにする。
図4は、マウスピースをガーゼのような布で覆った例である。マウスピースをビニールのような材質とした場合、肌にピッタリとついて不快となる。そして、長時間マウスピースをつけていると、この接触部に汗がついてしまう。そのために、マウスピースをガーゼなどの素材で覆う構造とするのが良い。
図5は、マウスピースの口と接する部分の凸部を抑えた例である。マウスピースの口の中に入れる部分が長過ぎると、ヨダレが出たり、マスクをしながらの話をし辛いため、唇にわずかに接して吐き出す息がマスク内に漏れない程度まで凸部を小さくする。
図6は、マウスピース機能を設けたマスクの例である。マスク本体からの出っ張りを抑える構造で、通常のマスクとほとんど変わらない薄さで、正面から見ると吐き出し口だけが付いた形である。また、マウスピースを縦長にする際には、鼻からの吸気を阻害しないことにも注意が必要である。
【実施例】
【０００９】
内径5ｍｍ、外径6ｍｍのビニールホースをマスクの幅と同じ長さで準備した。ホースの中心に穴を開け、この穴に口にくわえ易いように内径10ｍｍ、外径12ｍｍ、長さ5ｍｍのビニールホースを取り付けた本発明、図1の構造のマウスピースを作製した。マウスピースの素材は、特には問わないが、目的のためには水分を通さないものであれば良く、経済的なことを考慮し、今回はビニールホースを使用した。このマウスピースを取り付けたマスクを装着し、眼鏡を掛けて30分散歩した。マウスピースの無い状態では、眼鏡が曇り、前が見えない状況になったが、マウスピース付きのマスクを使用し、息を鼻から吸い、口から吐き出す呼吸をしたところ、眼鏡が曇ることは無かった。また、マスク内の蒸し状態も、通常のマスクでは、マスク内全体が湿っぽい状態で、口の回りに水滴も付いたが、マウスピースをつけた場合には、わずかにマウスピースと顔の接触部および下唇の下の方が湿っぽいという程度であった。
図4に示すように、マウスピースをガーゼで覆ったことにより、この湿っぽさは無くなった。
なお、マウスピースとマスクの取り付けであるが、マウスピースを口にくわえてから、マスクをセットし、マスクに付いたゴムひもで顔に圧迫する程度でも構わないし、両面テープ、マジックテープのようなもので固定することでも構わない。
マウスピースの口に入る部分が長いと、例えば歯で噛んでしまうほどに長い場合は、唾液が出てしまいヨダレになってマスクを汚してしまう。長くても、歯に当たらないくらいまで短ければヨダレになる前に唾液を飲み込んでしまえることがわかった。また、図5のように、マスクを付けるときのゴム紐の力で唇とマウスピースが密着し、吐き出しが行える程度のマウスピースの突起の長さであると、マスクをしながらでも通常のマスクと同じように話ができる。
マウスピースような構造をマスクに設けるには、マスクの厚みを薄くするために図6に示すように、縦に長い穴構造とすることが有効である。縦長にし、吐き出し口の面積を広くすることで、息が勢い良く出ることを押さえ、混んだ中でも隣人に迷惑を掛けることがなくなる。
横方向だけではなく、下方向あるいは横と下の両方向に吐き出す構造としても良い。
鼻からマスクを通して外気を吸い、マウスピースを通して息をマスクの外に吐き出すことにより、眼鏡をしても眼鏡が曇ることがない。マスク内が蒸し状態になることも抑えられた。
特に、花粉症の場合には、鼻の中に花粉が入ることを避ければ良く、誤って、マウスピースから外気を吸い込んでも口にしか入らないために有効なマスクと言える。また、夜間にマスクをした場合でも、鼻で呼吸をして途中で息苦しくなっても、口での呼吸に切り替えられるため、息苦しくならず、マスクを無意識に外すこともなく、鼻にも花粉が入らないというメリットもある。
【符号の説明】
【００１０】
1  マウスピース
2  マウスピースの息の吐き出し口
3  マウスピースの排気口
4  市販のマスク
5  ガーゼ
6  マウスピースの機能を具備したマスク
【図１】
2015198676.tif 000003
【図２】
2015198676.tif 000004
【図３】
2015198676.tif 000005
【図４】
2015198676.tif 000006
【図５】
2015198676.tif 000007
【図６】
2015198676.tif 000008